(57)【特許請求の範囲】
【請求項１】
型枠幅方向の上面側を覆うように掛止される型枠掛止部と、前記型枠側面部に配設される鋼管を内包するように当該鋼管の外周面に当接される鋼管支持部とを有し、
前記型枠掛止部の鋼管側の端部と前記鋼管支持部の型枠側の端部とは連接され、
前記鋼管支持部の鋼管側の端部は、当該鋼管支持部を移動して前記鋼管の外周面を内包するように当接させる際、その当接を妨げる事態を低減させるため外方向に折り曲げ形成されてなることを特徴とするコンクリート型枠保持具。
【請求項２】
前記型枠掛止部はコ字状に形成されてなることを特徴とする請求項１に記載のコンクリート型枠保持具。
【請求項３】
前記型枠掛止部の型枠側の端部を外方向に折り曲げ形成してなることを特徴とする請求項１又は２に記載のコンクリート型枠保持具。
【請求項４】
前記型枠掛止部には、所要箇所に、釘等が挿通可能な挿通孔が設けられてなることを特徴とする請求項１〜３のいずれか１項に記載のコンクリート型枠保持具。
【発明の詳細な説明】
【技術分野】
【０００１】
本発明は、コンクリート打設現場で組立施工されるコンクリート型枠を保持するコンクリート型枠保持具に関する。
【背景技術】
【０００２】
従来、コンクリート型枠を保持するコンクリート型枠保持具として、図６及び図７に示すものが知られている。図６は、従来のコンクリート型枠保持具を用いてコンクリート型枠を組み立てた状態の一部を示す斜視図、図７は図６の縦断面図である。
【０００３】
図６及び図７に示すように、コンクリート型枠は、合板型枠１００の側面部に、当該合板型枠１００の変形を防止するための中空状の角鋼管１０１が配設され、その角鋼管１０１の外周側面部に、その配置を固定するためのコンクリート型枠保持具１０２が設けられている。なお、図示ではコンクリート型枠保持具１０２を一つしか設けていないが、このコンクリート型枠保持具１０２は、上記角鋼管１０１の長手方向に所要間隔を置いて、複数個設けられている。
【０００４】
合板型枠１００は、矩形状の堰板１００ａを有し、その堰板１００ａの一方の側面部所要箇所に、上記堰板１００ａを補強する桟木１００ｂが立設固定されている。そして、その桟木１００ｂの側面部には、上記堰板１００ａに沿うように角鋼管１０１が配設されている。なお、図示はしないが、上記堰板１００ａの他方の側面部側の空間にはコンクリートが打設される。
【０００５】
一方、コンクリート型枠保持具１０２は、図７に示すように、堰板１００ａにドリル等で穴あけ加工されているセパレータ挿入孔１００ｃに挿入される略Ｔ字形のセパレータ１０２ａを有している。そして、そのセパレータ１０２ａの軸部には、プラスチック等で形成されている円錐台形状のピーコン１０２ｂが挿通され、上記堰板１００ａの他方の側面部に当接されている。また、上記セパレータ１０２ａの先端部には、その先端部に設けられている雄ねじ部１０２ａ１にフォームタイ（登録商標）１０２ｃの一端部が螺合連結されている。そして、そのフォームタイ１０２ｃの上面部には、角鋼管１０１が載置され、その位置をフォームタイ１０２ｃに設けられている当板１０２ｄにて保持されている。
【０００６】
この当板１０２ｄは、上記角鋼管１０１の外周面に当接されている略コ字状のコ字枠１０２ｄ１と、一端面が上記堰板１００ａの一方の側面部に当接されている略Ｌ字状のＬ字枠１０２ｄ２とが一体形成されて構成されているものである。
【０００７】
そのコ字枠１０２ｄ１の下部側には、フォームタイ１０２ｃを挿入可能なフォームタイ挿入孔１０２ｄ３が穿設され、この穿設されたフォームタイ挿入孔１０２ｄ３に、フォームタイ１０２ｃが挿通されている。これにより、フォームタイ１０２ｃの所要位置に当板１０２ｄが設けられることとなる。またその所要位置を固定させるために、当板１０２ｄの側面側に設けられているフォームタイ１０２ｃのスリット状の孔１０２ｃ１に楔１０２ｅが打ち込まれている。これにより、コンクリート型枠が組み立てられることとなる。
【発明の概要】
【発明が解決しようとする課題】
【０００８】
ところで、上記詳述した従来のコンクリート型枠保持具には次のような問題があった。すなわち、第１に、型枠に鋼管を保持させる作業が非常に多いため、作業に多大な手間及び時間を要する上に、その作業を習熟するのに時間と労力を要するという問題があった。第２に、型枠に鋼管を保持させる際、型枠にドリル等で穴あけ加工を行う必要があるため型枠を再利用することができないという問題があった。
【０００９】
そこで本発明は、上記事情に鑑み、熟練を要さずとも簡単容易な作業で型枠に鋼管を保持させることができると共に、型枠を再利用することができるコンクリート型枠保持具を提供することを目的としている。
【課題を解決するための手段】
【００１０】
上記目的を達成するために、本発明の請求項１に係るコンクリート型枠保持具を、図面の参照符号を付して示せば、型枠２幅方向の上面側を覆うように掛止される型枠掛止部１０，５１と、前記型枠２側面部に配設される鋼管３，４を内包するように当該鋼管３，４の外周面に当接される鋼管支持部１１，３１とを有し、前記型枠掛止部１０，５１の鋼管３，４側の端部１０ａ，５１ａと前記鋼管支持部１１，３１の型枠２側の端部１１ｂ，３１ｂとは連接され、
前記鋼管支持部１１，３１の鋼管３，４側の端部１１ａ，３１ａは、当該鋼管支持部１１，３１を移動して前記鋼管３，４の外周面を内包するように当接させる際、その当接を妨げる自体を低減させるため外方向に折り曲げ形成されてなることを特徴としている。
【００１１】
一方、請求項２に係るコンクリート型枠保持具は、上記請求項１に記載のコンクリート型枠保持具において、前記型枠掛止部５１はコ字状に形成されてなることを特徴としている。
【００１２】
また、請求項３に係るコンクリート型枠保持具は、上記請求項１又は２に記載のコンクリート型枠保持具において、前記型枠掛止部１０，５１の型枠２側の端部１０ａ，５１ａを外方向に折り曲げ形成してなることを特徴としている。
【００１４】
そして、請求項４に係るコンクリート型枠保持具は、上記請求項１〜３のいずれか１項に記載のコンクリート型枠保持具において、前記型枠掛止部１０，５１には、所要箇所に、釘等が挿通可能な挿通孔１０ｂ，５１ｂが設けられてなることを特徴としている。
【発明の効果】
【００１５】
次に、本発明の効果について、図面の参照符号を付して説明する。まず、請求項１の発明にかかるコンクリート型枠保持具では、型枠２の幅方向上面側が、型枠掛止部１０，５１によって、その上面側を覆うように掛止され、さらに、上記型枠２の側面部に配設される鋼管３，４が、鋼管支持部１１，３１によって、その鋼管３，４を内包するように当該鋼管３，４の外周面に当接される。そして、上記型枠掛止部１０，５１の鋼管３，４側の端部１０ａ，５１ａと上記鋼管支持部１１，３１の型枠２側の端部１１ｂ，３１ｂとは連接されている。
【００１６】
それゆえ、本発明によれば、鋼管支持部１１，３１と連接されている上記型枠掛止部１０，５１を型枠２の幅方向上面側を覆うように掛止し、その型枠掛止部１０，５１と連接されている鋼管支持部１１，３１を、鋼管３，４を内包するように当該鋼管３，４の外周面に当接させれば、型枠２に鋼管３，４を保持させることができるから、熟練を要さずとも簡単容易な作業で型枠２に鋼管３，４を保持させることができる。
【００１７】
さらに、本発明によれば、従来のように、型枠２にドリル等で穴あけ加工をせずとも、型枠２に鋼管３，４を保持させることができるため、型枠を再利用することができる。またさらに、本発明によれば、上記鋼管支持部１１，３１の鋼管３，４側の端部１１ａ，３１ａを外方向に折り曲げ形成しているから、上記鋼管支持部１１，３１を移動して鋼管３，４の外周面に当接させる際、その端部１１ａ，３１ａが鋼管３，４の外周面に引っ掛かって、鋼管３，４の外周面を内包するように上記鋼管支持部１１，３１を当接するのを妨げるという事態を低減させることができる。それゆえ、上記鋼管支持部１１，３１を移動して鋼管３，４の外周面に当接させる際、当接させ易いという効果を奏する。
【００１８】
一方、請求項２の発明にかかるコンクリート保持具では、上記型枠掛止部５１はコ字状に形成されているから、その型枠掛止部５１を用いて型枠２の幅方向上面側を覆うように掛止させるには、型枠２の上面部より下方側に鋼管３，４を配設させることとなる。それゆえ、型枠２の上面部と鋼管３，４の上面部とは段差が生じることとなるから、従来のコンクリート型枠保持具を用いてコンクリート型枠を組み立てる際に用いられている型枠を支持する桟木や単管パイプ等の支柱部材を利用することができる。したがって、より強固なコンクリート型枠を組み立てることができる。
【００１９】
他方、請求項３の発明にかかるコンクリート保持具では、上記型枠掛止部１０，５１の型枠２側の端部１０ａ，５１ａを外方向に折り曲げ形成しているから、上記型枠掛止部１０，５１を型枠２の幅方向の上面側を覆うように掛止させる際、その端部１０ａ，５１ａが型枠２の上面部に引っ掛かって、型枠２の上面部に上記型枠掛止部１０，５１を掛止するのを妨げるという事態を低減させることができる。それゆえ、本発明によれば、上記型枠掛止部１０，５１を型枠２の幅方向の上面側を覆うように掛止する際、掛止し易いという効果を奏する。
【００２１】
さらに、請求項４の発明によれば、上記型枠掛止部１０，５１には、所要箇所に、釘等が挿通可能な挿通孔１０ｂ，５１ｂが設けられているから、型枠２の上面側に型枠掛止部１０，５１をより確実に掛止させることができる。それゆえ、コンクリート型枠保持具の位置を強固に固定させることができる。
【図面の簡単な説明】
【００２２】
【図１】本発明の第１実施形態に係るコンクリート型枠保持具を用いてコンクリート型枠を組み立てた状態の一部を示す斜視図である。
【図２】図１の縦断面図である。
【図３】（ａ）〜（ｂ）は、同実施形態に係るコンクリート型枠保持具を型枠及び鋼管に保持させる手順を示した説明図である。
【図４】本発明の第２実施形態に係るコンクリート型枠保持具を用いてコンクリート型枠を組み立てた状態の一部を示す縦断面である。
【図５】本発明の第３実施形態に係るコンクリート型枠保持具を用いてコンクリート型枠を組み立てた状態の一部を示す縦断面である。
【図６】従来のコンクリート型枠保持具を用いてコンクリート型枠を組み立てた状態の一部を示す斜視図である。
【図７】図６の縦断面図である。
【発明を実施するための形態】
【００２３】
＜第１実施形態＞
以下、本発明に係る第１実施形態について、図１〜図３を参照して具体的に説明する。
【００２４】
本実施形態に係るコンクリート型枠保持具１は、図１及び図２に示すようなコンクリート型枠を組み立てる際に用いられる。すなわち、合板型枠２の側面部に当該合板型枠２の変形を防止するための中空状の角鋼管３が、上記合板型枠２の上面部と当該角鋼管３の上面部とがほぼ面一となるように配設され、その配置を固定するために、合板型枠２及び角鋼管３の外周部にコンクリート型枠保持具１が設けられることで図１及び図２に示すコンクリート型枠が組み立てられている。なお、図示では、コンクリート型枠保持具１を一つしか設けていないが、このコンクリート型枠保持具１は、上記角鋼管３の長手方向に所要間隔を置いて、複数個設けられている。
【００２５】
コンクリート型枠保持具１は、図１及び図２に示すように、合板型枠２の幅方向の上面側を覆うように掛止されるＬ字形の型枠掛止部１０と、角鋼管３を内包するように当該角鋼管３の外周面に当接されるＬ字形の鋼管支持部１１とで構成されている。この合板型枠２は、矩形状の堰板２ａを有し、その堰板２ａの一方の側面部所要箇所に、上記堰板２ａを補強する横桟木２ｂ及び縦桟木２ｃからなる桟木２ｄが立設固定されている。そして、その桟木２ｄの側面部には、上記堰板２ａに沿うように角鋼管３が配設されている。なお、図示はしないが、上記堰板２ａの他方の側面部側の空間にはコンクリートが打設される。
【００２６】
このように構成される合板型枠２の堰板２ａ及び横桟木２ｂの上面部には、型枠掛止部１０が掛止されている。この型枠掛止部１０は、図１及び図２に示すように、合板型枠２側の端部１０ａが外方向に折り曲げ形成され、横桟木２ｂが当接されている所要箇所に釘等が挿通される挿通孔１０ｂが穿設されている。このように、釘等が挿通される挿通孔１０ｂを設けることにより、合板型枠２の上面側に型枠掛止部１０をより確実に掛止させることができる。それゆえ、コンクリート型枠保持具の位置をより強固に固定させることできる。なお、本実施形態において例示した挿通孔は、垂直に穿設させているが傾斜させて穿設させても良い。また、合成型枠２に釘等が打ち込める位置であれば、どのような位置であっても良い。
【００２７】
一方、鋼管支持部１１は、Ｌ字形に形成され、角鋼管３側の端部１１ａが外方向に折り曲げ形成されている。そして、合板型枠２側の端部１１ｂと上記型枠掛止部１０の角鋼管３側の端部１０ｃとは、一体形成されている。
【００２８】
次に、このように構成されるコンクリート型枠保持具１を、角鋼管３の外周面に当接させ、なお且つ、合板型枠２の幅方向の上面側に掛止される方法を、図３を参照して具体的に説明する。
【００２９】
まず、図３（ａ）に示すように、合板型枠２の側面部に角鋼管３を配設させた状態で、コンクリート型枠保持具１に関する鋼管支持部１１の角鋼管３側の端部１１ａを、角鋼管３下面周縁部に当接させる。そしてその当接後、コンクリート型枠保持具１を矢印Ｐ１方向に移動させる。その際、上記端部１１ａが外方向に折り曲げ形成されているから、その端部１１ａが角鋼管３の下面部に引っ掛かって、その移動の妨げとなる事態を低減させることができる。それゆえ、角鋼管３の外周面に鋼管支持部１１ｂを当接させ易くなる。
【００３０】
このように、コンクリート型枠保持具１を矢印Ｐ１方向に移動させると、コンクリート型枠保持具１に関する型枠掛止部１０の型枠２側の端部１０ａが、図３（ｂ）に示すように、堰板２ａの上面周縁部に当接される。そしてこの当接後、コンクリート型枠保持具１を矢印Ｐ２方向に移動させれば、図２に示すように、コンクリート型枠保持具１を、角鋼管３の外周面に当接させ、なお且つ、合板型枠２の幅方向の上面側に掛止させることができる。なお、矢印Ｐ２方向への移動の際、上記端部１０ａが外方向に折り曲げ形成されているから、その端部１０ａが堰板２ａの上面周縁部に引っ掛かってその移動の妨げとなる事態を低減させることができる。それゆえ、型枠掛止部１０を合板型枠２の上面側に掛止させ易くなる。
【００３１】
しかして、本実施形態によれば、合板型枠２の幅方向上面側は、型枠掛止部１０によって、その上面側を覆うように掛止され、さらに、上記合板型枠２の側面部に配設される角鋼管３は、鋼管支持部１１によって、その角鋼管３を内包するように当該角鋼管３の外周面に当接される。そして、上記型枠掛止部１０の角鋼管３側の端部１０ａと上記鋼管支持部１１の合板型枠２側の端部１１ｂとは一体形成されている。
【００３２】
それゆえ、本実施形態によれば、鋼管支持部１１と一体形成されている上記型枠掛止部１０を合板型枠２の幅方向上面側を覆うように掛止し、その型枠掛止部１０と一体形成されている鋼管支持部１１を、角鋼管３を内包するように当該角鋼管３の外周面に当接させれば、合板型枠２に角鋼管３を保持させることができるから、熟練を要さずとも簡単容易な作業で合板型枠２に角鋼管３を保持させることができる。さらに、従来のように、合板型枠２にドリル等で穴あけ加工をせずとも、合板型枠２に角鋼管３を保持させることができるため、合板型枠２を再利用することができる。
【００３３】
＜第２実施形態＞
次に、本発明に係る第２実施形態について、図４を参照して具体的に説明する。なお、第１実施形態と同一構成については、同一の符号を付し、説明は省略する。
【００３４】
本実施形態に係るコンクリート型枠保持具３０は、図４に示すようなコンクリート型枠を組み立てる際に用いられる。すなわち、合板型枠２の側面部に中空状の丸鋼管４が、当該丸鋼管４の上面部が当該型枠２の上面部に沿うように配設され、その配置を固定するために、合板型枠２及び丸鋼管４の外周部にコンクリート型枠保持具３０が設けられることで図４に示すコンクリート型枠が組み立てられている。
【００３５】
コンクリート型枠保持具３０は、合板型枠２の幅方向の上面側を覆うように掛止されるＬ字形の型枠掛止部１０と、丸鋼管４を内包するように当該丸鋼管４の外周面に当接されるＵ字形の鋼管支持部３１とで構成されている。この鋼管支持部３１は、丸鋼管４側の端部３１ａが外方向に折り曲げ形成され、他端側である合板型枠２側の端部３１ｂが、上記型枠掛止部１０の丸鋼管４側の端部１０ｃと一体形成されている。
【００３６】
しかして、本実施形態によれば、第１実施形態と異なり丸鋼管４を使用しているため、その丸鋼管４に合わせた形状に第１実施形態に係る鋼管支持部１１の形状を本実施形態に係る鋼管支持部３１の形状に変更している。その変更点のみが、本実施形態に係るコンクリート型枠保持具３０と第１実施形態で示したコンクリート型枠保持具１との相違点である。それゆえ、本実施形態は、第１実施形態と同様の効果を奏する。
【００３７】
＜第３実施形態＞
次に、本発明に係る第３実施形態について、図５を参照して具体的に説明する。なお、第１実施形態と同一構成については、同一の符号を付し、説明は省略する。
【００３８】
本実施形態に係るコンクリート型枠保持具５０は、図５に示すようなコンクリート型枠を組み立てる際に用いられる。すなわち、合板型枠２の側面部に当該合板型枠２の上面部よりも下方側に角鋼管３を配設させている。その配置を固定するために、合板型枠２及び角鋼管３の外周部にコンクリート型枠保持具５０が設けられることで図５に示すコンクリート型枠が組み立てられている。
【００３９】
コンクリート型枠保持具５０は、合板型枠２の幅方向の上面側を覆うように掛止されるコ字状の型枠掛止部５１と、角鋼管３を内包するように当該角鋼管３の外周面に当接されるＬ字形の鋼管支持部１１とで構成されている。この型枠掛止部５１は、合板型枠２側の端部５１ａが外方向に折り曲げ形成され、横桟木２ｂが当接されている所要箇所に釘等が挿通される挿通孔５１ｂが穿設されている。そしてさらに、上記端部５１ａの他端側である角鋼管３側の端部５１ｃが、上記鋼管支持部１１の合板型枠２側の端部１１ｂと一体形成されている。
【００４０】
しかして、本実施形態によれば、第１実施形態と異なり合板型枠２の側面部に当該合板型枠２の上面部よりも下方側に角鋼管３を配設させている。そのため、その配置に合わせた形状に第１実施形態に係る型枠掛止部１０の形状を本実施形態に係る型枠掛止部５１の形状に変更している。その変更点のみが、本実施形態に係るコンクリート型枠保持具５０と第１実施形態で示したコンクリート型枠保持具１との相違点である。それゆえ、本実施形態は、第１実施形態と同様の効果を奏する。
【００４１】
さらに、本実施形態によれば、上記型枠掛止部５１はコ字状に形成されているため、合板型枠２の幅方向上面側を覆うように上記型枠掛止部５１を用いて掛止させるには、合板型枠２の上面部より下方側に角鋼管３を配設させることとなる。それゆえ、合板型枠２の上面部と角鋼管３の上面部とは段差が生じることとなるから、従来のコンクリート型枠保持具を用いてコンクリート型枠を組み立てる際に用いられている型枠を支持する桟木や単管パイプ等の支柱部材を利用することができる。したがって、本実施形態によれば、より強固なコンクリート型枠を組み立てることができる。なお、本実施形態では、角鋼管３を用いているが、丸鋼管４を用いても良いことは言うまでもない。その際、鋼管支持部１１の形状は第２実施形態で示した鋼管支持部３１の形状に変更される。
【００４２】
ところで、上記第１〜第３実施形態においては、型枠として合板型枠を用いた例を示したが合板型枠に限定されるものではなく、種々様々な合板に適用可能である。
【００４３】
また、上記第１〜第３実施形態においては、型枠掛止部の鋼管側の端部と鋼管支持部の型枠側の端部とが一体形成されている例を示したが、一体形成されていなくとも連接されていれば良い。
【００４４】
さらに、上記第１〜第３実施形態においては、鋼管として中空状の鋼管を用いた例を示したが、中実状の鋼管を用いても良い。
【符号の説明】
【００４５】
１，３０，５０        コンクリート保持具
２                    合板型枠（型枠）
３                    角鋼管（鋼管）
４                    丸鋼管（鋼管）
１０，５１            型枠掛止部
１１，３１            鋼管支持部
１０ａ，５１ａ      （型枠掛止部の）型枠側の端部
１０ｂ，５１ｂ        挿通孔
１０ｃ，５１ｃ      （型枠掛止部の）鋼管側の端部
１１ａ，３１ａ      （鋼管支持部の）鋼管側の端部
１１ｂ，３１ｂ      （型枠掛止部の）型枠側の端部
【図１】
0005600506.tif 000002
【図２】
0005600506.tif 000003
【図３】
0005600506.tif 000004
【図４】
0005600506.tif 000005
【図５】
0005600506.tif 000006
【図６】
0005600506.tif 000007
【図７】
0005600506.tif 000008